(57)【特許請求の範囲】
【請求項１】
最上層に配置される表面平滑な樹脂化粧シートと、該樹脂化粧シートの下側に積層される木質基材と、該木質基材の下側に積層される樹脂遮音シートと、最下層に配置されるクッション層とを少なくとも有する可撓性の複数枚の遮音床材が、上記クッション層の破壊強度よりも弱い接着剥離強度の施工用接着剤により、互いに隣り合うように連続して床下地に貼着され、
上記木質基材は、比重が０．４以上でかつ１．０以下であるとともに厚みが２．０ｍｍ以上でかつ３．０ｍｍ以下である可撓性を有する木質繊維板で構成され、
上記樹脂遮音シートは、比重が１．４以上でかつ２．０以下であるとともに厚みが上記木質繊維板の厚みと同じとなるように形成され、
上記遮音床材は四周端面には、上記木質繊維板の下面から木質繊維板の厚み方向３分の１の位置と上記樹脂遮音シートの上面から樹脂遮音シートの厚み方向３分の１の位置との間に亘る雄実及び雌実を有する本実加工が施され、
上記雄実の上部は、上面が俯角１５度以上でかつ３０度以下である傾斜面に形成された上記木質基材で構成される一方、雄実の下部は、下面が上記上面の俯角よりも１０度以上小さい角度の仰角である傾斜面に形成された上記樹脂遮音シートで構成されていて、隣り合う遮音床材は、表面が互いに面一となるように一方の遮音床材の雌実に他方の遮音床材の雄実が嵌合されて結合されていることを特徴とする遮音床材の施工構造。
【請求項２】
請求項１の遮音床材の施工構造において、
上記クッション層が防湿性を有することを特徴とする遮音床材の施工構造。
【発明の詳細な説明】
【技術分野】
【０００１】
本発明は、遮音床材の施工構造に関するものである。
【背景技術】
【０００２】
従来より、特許文献１に示すように、接着剤により床下地に貼着される遮音床材は知られている。この特許文献１の遮音床材は、基板の下面側から上方に向かって複数の切り込み溝を設けることにより、遮音性を確保している。
【０００３】
一方、特許文献２に示すように、再剥離可能な施工用接着剤を用いて、床材を張り替えて更新する施工方法が提案されている。この施工用接着剤にはイソシアネート化合物に中空フィラーが充填されており、施工時のずらし作業性を維持しつつ、更新時に床材を破壊することのないように、施工用接着剤を除去しようとしている。
【０００４】
また、特許文献３には、床材本体の下面に設けられたクッション層と、クッション層の下面に設けられる下層シート状物との間にホットメルト系接着剤を塗布し、更新時に下層シート状物を床下地に残して床材を除去する工法が示されている。
【０００５】
さらに、特許文献４には、複数の薄板が積層された床材であって、重なり合う少なくとも２層の薄板同士が剥離可能である床材を更新する方法が示されている。
【特許文献１】特開昭６３−１９０４３８号公報
【特許文献２】特開２００４−３０７７８８号公報
【特許文献３】特開平１１−１７２９０５号公報
【特許文献４】特開２００６−３４８７２４号公報
【発明の開示】
【発明が解決しようとする課題】
【０００６】
上記特許文献２のような施工用接着剤は、従来の高強度の接着剤に比べると接着強さは低いが、マンション等で使用するような厚み６ｍｍ程度の薄い床材であって、遮音性を有する遮音床材を除去するときには、その一部を剥がし、床材と床下地との間に「皮スキ」のような薄い金属へらを差し込んで衝撃を与え、界面破壊を起こさせることで床材を除去する必要があり、床材の除去が容易であるとは言い難い。そこで、中空フィラーの含有量を上げ、容易に床材を除去できる程度に接着強さを弱くすると、床材に連続的に作用する荷重により、接着剤が破壊してしまう。
【０００７】
また、上記特許文献３の工法では、床下地に下層シート状物を残して床材を除去するため、繰り返し更新する場合には、最終的に下層シート状物を剥がし、けれん作業により接着剤を剥がす必要がある。上記特許文献４の更新方法も床下地に薄板が残ってしまうので、特許文献３の場合と同じ問題が生じる。
【０００８】
本発明の目的とするところは、繰り返し更新する遮音床材を容易に除去することができるようにすることにある。
【課題を解決するための手段】
【０００９】
具体的には、第１の発明に係る遮音床材の施工構造は、最上層に配置される表面平滑な樹脂化粧シートと、最下層に配置されるクッション層とを少なくとも有する可撓性の複数枚の遮音床材が、上記クッション層の破壊強度よりも弱い接着剥離強度の施工用接着剤により、互いに隣り合うように連続して床下地に貼着され、上記木質基材は、比重が０．４以上でかつ１．０以下であるとともに厚みが２．０ｍｍ以上でかつ３．０ｍｍ以下である可撓性を有する木質繊維板で構成され、上記樹脂遮音シートは、比重が１．４以上でかつ２．０以下であるとともに厚みが上記木質繊維板の厚みと同じとなるように形成され、上記遮音床材は四周端面には、上記木質繊維板の下面から木質繊維板の厚み方向３分の１の位置と上記樹脂遮音シートの上面から樹脂遮音シートの厚み方向３分の１の位置との間に亘る雄実及び雌実を有する本実加工が施され、上記雄実の上部は、上面が俯角１５度以上でかつ３０度以下である傾斜面に形成された上記木質基材で構成される一方、雄実の下部は、下面が上記上面の俯角よりも１０度以上小さい角度の仰角である傾斜面に形成された上記樹脂遮音シートで構成されていて、隣り合う遮音床材は、表面が互いに面一となるように一方の遮音床材の雌実に他方の遮音床材の雄実が嵌合されて結合されている。
【００１０】
上記の構成によると、クッション層を有して遮音性を有する遮音床材を更新するために除去する際、遮音床材はクッション層が破壊せずに、撓みながら施工用接着剤が破壊し、床下地から剥離する。この遮音床材を除去した床下地に新たな施工用接着剤を塗布し、新たな更新用遮音床材を床下地に直接貼着して更新する。
【００１１】
また、遮音床材は、樹脂化粧シート、木質基材、樹脂遮音シート及びクッション層が順に積層されて構成されていてもよく、樹脂遮音シートにより木質基材の裏面から防湿性が担保される。
【００１２】
さらに、上記の構成によると、同じ厚みの木質繊維板と樹脂遮音シートとを合わせたものの厚み方向に３等分した真ん中部分に本実加工が施される。また、雄実の上面の俯角が下面の仰角よりも小さいので、雄実における樹脂遮音シートの割合が木質繊維板よりも多く、施工時の嵌合のために必要な雄実の強度と、遮音床材除去時に雌実を破壊せずに嵌合を外すことができる程度の雄実及び雌実の硬さとが確保される。そして、遮音床材の除去時に遮音床材が撓んで本実加工の嵌合が外れる。
【００１３】
第２の発明に係る遮音床材の施工構造は、第１の発明に係る遮音床材の施工構造において、上記クッション層が防湿性を有する。
【００１４】
上記の構成によると、クッション層が防湿性を有しているので、基材として木質基材を使用した場合でも、湿気の影響による遮音床材の変形が抑えられる。
【００１５】
なお、第１及び第２の発明に係る遮音床材の施工構造において、施工用接着剤は弾性接着剤であることが特に好ましい。遮音床材のクッション層は、上に人が乗って荷重が作用するたびに変形し、この荷重は、長期にわたって連続的に作用する。一般的な接着剤は、脆く硬い性質の硬化物となり、連続的なクッション層の変形により壊れやすく、壊れにくくするために強度を高くするには接着剥離強度を強める必要がある。一方、施工用接着剤を弾性接着剤とすると、接着剥離強度を弱くしても脆く硬い性質の硬化物とならず、連続的なクッション層の変形により壊れにくくなる。また、遮音床材を除去する際に、遮音床材と床下地との間に衝撃力を加えなくても遮音床材を撓ませながら引っ張ることで施工用接着剤が破壊する。
【発明の効果】
【００１６】
上記第１の発明によれば、施工用接着剤の接着剥離強度をクッション層の破壊強度よりも弱くしているので、遮音床材を更新するために除去する際、クッション層が破壊せずに、施工用接着剤が破壊するので容易に床下地から遮音床材を除去することができる。
【００１７】
そして、この遮音床材を除去した床下地に新たな遮音床材を直接貼着して更新するので、繰り返し更新しても何度でも容易に遮音床材を除去することができる。
【００１８】
また、遮音床材が樹脂化粧シート、木質基材、樹脂遮音シート及びクッション層を順に積層して構成され、樹脂遮音シートにより木質基材の裏面から防湿性を担保することで、基材として木質基材を使用した場合でも、湿気の影響による遮音床材の変形を抑えることができる。
【００１９】
また、樹脂遮音シートにより防湿性を担保することで、クッション層の選択の幅を広げることができる。
【００２０】
さらに、第１の発明によれば、雄実の上面の俯角を下面の仰角よりも小さくして、雄実における樹脂遮音シートの割合を木質繊維板よりも多くしているので、施工時の嵌合のために必要な雄実の強度と、任意の遮音床材除去時に隣り合う遮音床材の雌実を破壊せずに嵌合を外すことができる程度の雄実及び雌実の硬さとを確保することができる。
【００２１】
また、施工用接着剤を弾性接着剤とすると、接着剥離強度を弱くしても施工用接着剤が脆く硬い性質の硬化物とならず、遮音床材の上に人が乗って荷重が連続的に作用してクッション層が変形しても、施工用接着剤が壊れないため、最も好ましい。そして、遮音床材を除去する際に、遮音床材と床下地との間に衝撃を加えなくても引っ張るだけで、接着剥離強度が弱いので容易に施工用接着剤を破壊することができる。
【００２２】
上記第２の発明によれば、遮音床材が樹脂化粧シート、木質基材及び防湿性を有するクッション層を順に積層して構成されているので、基材として木質基材を使用した場合でも、湿気の影響による遮音床材の変形を抑えることができる。
【発明を実施するための最良の形態】
【００２３】
以下、本発明の実施形態を図面に基づいて詳細に説明する。以下の好ましい実施形態の説明は、本質的に例示に過ぎない。
【００２４】
図１及び図２に示すように、本発明の実施形態に係る遮音床材１は、樹脂化粧シート２と、基材３と、高比重樹脂遮音シート４と、クッション層５とがそれぞれ順番に積層されて一体的に構成されている。この遮音床材１は、複数枚が互いに隣り合うように連続し、施工用接着剤により床下地に貼着されている。
【００２５】
上記遮音床材１は、少なくとも樹脂化粧シート２とクッション層５とで構成されていればよく、適度な可撓性と表面平滑性とを有していればよい。この遮音床材１は、マンション等、一定期間ごとに張り替える更新が予想される場所で使用される。
【００２６】
上記遮音床材１は矩形形状であり、幅方向及び長手方向の長さが１００ｍｍ以上であれば、大きさは特に限定されない。例えば、幅方向の長さが１００ｍｍであり、かつ長手方向の長さが９００ｍｍ〜１８００ｍｍである長方形状か、幅方向及び長手方向の長さがそれぞれ３００ｍｍ〜４５０ｍｍである正方形状であってもよい。
【００２７】
上記樹脂化粧シート２、基材３等の各構成要素を接着する接着剤は、一般的な貼着作業に使用されるものでよい。例えば、尿素メラミン系接着剤、酢酸ビニル系接着剤、ビニルウレタン系接着剤、エポキシ系接着剤、ウレタン系接着剤、ＰＵＲホットメルト接着剤等を使用することができる。
（樹脂化粧シート）
上記樹脂化粧シート２は表面平滑なものであればよく、例えば、樹脂含浸紙、オレフィン系樹脂シート、ポリエチレンテレフタレート樹脂シート等、またはこれらのシートを複合したもの、さらには、これらのシートの表面に塗装加工を施したシート状物を使用することができる。また、上記遮音床材１に基材３として後述する木質繊維板を用いる場合には、基材３が湿気の影響を受けないように、防湿性があり、かつ強度に優れたシートを用いることが好ましい。
【００２８】
本発明の遮音床材１は、吸盤を有する床材除去具を用いて床下地から剥がし取るようになっているので、樹脂化粧シート２は、床材除去具の吸盤が吸着できるような表面平滑性を有していればよい。
（基材）
上記基材３として、合板やパーティクルボード等を使用可能であるが、遮音床材１の強度及び可撓性を考慮した場合、木質繊維板を用いることが好ましい。木質繊維板は、比重が０．４以上でかつ１．０以下であることが好ましく、さらには、比重が０．４以上でかつ０．８以下である中比重木質繊維板（ＭＤＦ）がより好ましい。木質繊維板の比重が０．４未満であれば、表面の耐傷性の高い遮音床材１を得ることができず、また、比重が１．０よりも大きければ、水漏れした場合に膨れが大きくなってしまい好ましくない。また、木質繊維板は、厚みが２．０ｍｍ以上でかつ３．０ｍｍ以下であるものが好ましい。厚みが２．０ｍｍ未満であれば、床材に使用した際に表面側からの衝撃による凹み量が大きくなってしまい、厚みが３．０ｍｍよりも大きいものであれば、遮音床材１の可撓性が劣ってしまうので好ましくない。
【００２９】
上記基材３が可撓性を有するためには、一般的に、裏面に一定間隔で溝加工が施される。しかし、この溝加工が施されると、基材３に湿気が導入されて、遮音床材１の変形の原因となる。また、基材３に溝加工が施されると、遮音床材１の表面側から溝部分が見えてしまい意匠的に好ましくない。さらに、遮音床材１の幅方向及び長手方向両方の可撓性を得るために両方向に溝加工を施すと、より意匠的に好ましくない。さらに、遮音床材１には、連続的な荷重や瞬間的な衝撃荷重などが作用するため強度が求められている。このため、本発明の遮音床材１では、溝加工を施さなくても幅方向及び長手方向に可撓性を有する基材３を用いている。
【００３０】
なお、遮音床材１は、少なくとも樹脂化粧シート２とクッション層５とで構成されていればよく、この基材３を有していなくてもよい。
（高比重樹脂遮音シート）
上記高比重樹脂遮音シート４は、上記基材３として木質繊維板を使用する場合に特に必要であり、裏面からの湿気の影響を受けない防湿効果のあるもので、かつ施工用接着剤との接着強度が担保できるものであればよい。例えば、塩化ビニル系樹脂、ウレタン系樹脂、合成ゴム系樹脂、ポリエステル系樹脂等、また、これらの樹脂の変性物、あるいは各種再生プラスチック等を使用することができる。この高比重樹脂遮音シート４は、使用する施工用接着剤の接着適正を考慮して、その組み合わせにより選択して使用する。接着性と品質安定性の観点からは、塩化ビニル樹脂系樹脂シートが好適に用いられる。
【００３１】
また、所望の接着強度及び防湿性を確保するために、樹脂シートの表裏面に接着前処理が行われているものも用いることができる。この接着前処理が行われる樹脂シートとしては、例えば、ポリサンド紙、両面シーラー処理された樹脂シート、コロナ処理やプラズマ放電処理されたシート等が用いられる。ポリサンド紙は、ポリエチレン、ポリプロピレン、ポリエステル等の１０μｍ〜１５０μｍ程度の薄いシートの表裏面に紙を熱溶着させたものである。
【００３２】
本発明の実施形態に係る高比重樹脂遮音シート４としては、比重が１．４以上でかつ２．０以下となるように無機フィラーが充填され、基材３としての木質繊維板の厚みと略同じ厚みの塩化ビニル樹脂系樹脂シートが用いられる。これにより、なじみ性のよい遮音床材１を提供することができる。この塩化ビニル樹脂系樹脂シートは、例えば、塩化ビニル樹脂１００重量に対して、１００〜１０００重量％程度の割合で無機フィラーが充填され、混練された後、カレンダー押出成形法によりシート成形される。充填される無機フィラーの量が少ないと成形後のシートの温度変化による寸法変化が大きくなり、多すぎるとシートの成形が困難になる。さらに、この樹脂シートは、遮音床材１を剥がし取るために、容易に変形又は破断するように設計されることが好ましい。無機フィラーは、炭酸カルシウム、硫酸バリウム、シリカ、アルミナ、カーボンブラック、金属粉、金属酸化物等が使用される。
【００３３】
なお、この高比重樹脂遮音シート４は、基材３として木質基板を使用しない場合には、使用しなくてもよい。ただし、基材３として木質基材を使用する場合には、基材３に湿気が導入されることにより遮音床材１が変形することを防止するために、防湿効果のある高比重樹脂遮音シート４を用いる。
【００３４】
そして、上記遮音床材１の四周端面には、上記基材３及び高比重樹脂遮音シート４の部分に雄実６及び雌実７を有する本実加工が施されている。すなわち、図１に示すように、遮音床材１の対向する幅方向端面に雄実６及び雌実７がそれぞれ形成され、図２に示すように、対向する長手方向端面にも雄実６及び雌実７がそれぞれ形成されている。そして、隣り合う遮音床材１の対向する端面に、雄実６及び雌実７が対向するように各遮音床材１が配置され、表面が互いに面一となるように、隣り合う遮音床材１の一方の遮音床材１の雌実７に他方の遮音床材の雄実６が嵌合されて結合され、遮音床材１が床下地に敷き詰められている。
【００３５】
具体的には、基材３の下面８から基材３の厚み方向３分の１の位置と高比重樹脂遮音シート４の上面９から高比重樹脂遮音シート４の厚み方向３分の１の位置との間に亘って本実加工が施され、同じ厚みの基材３と高比重樹脂遮音シート４とを合わせたものの厚み方向に３等分（Ｌ１＝Ｌ２＝Ｌ３）した真ん中部分（Ｌ２）に本実加工が施されている。そして、雄実６の上部は基材３で構成され、上面の傾斜面６ａが、俯角ｒ１が１５度以上でかつ３０度以下となるように形成されている。一方、雄実６の下部は高比重樹脂遮音シート４で構成され、下面の傾斜面６ｂが、上面の傾斜面６ａの俯角ｒ１よりも１０度以上小さい角度の仰角ｒ２に形成されている。このように、上面の傾斜面６ａの俯角ｒ１が下面の傾斜面６ｂの仰角ｒ２よりも１０度以上大きい角度に形成されているので、雄実６は基材３の割合が高比重樹脂遮音シートよりも少なくなるように構成されている。
【００３６】
なお、遮音床材１に基材３及び高比重樹脂遮音シート４を用いない場合には、この本実加工を施さなくてもよい。
（クッション層）
上記クッション層５としては、防湿性を有し、クッション性のあるクッション材であればよいが、合成樹脂発泡体や熱エンボスロール融着加工が施された合成樹脂不織布等、一定の破壊強度を有していれば、どのようなものでも使用することができる。好ましくは、樹脂発泡体がよい。これらのクッション材は、見かけ比重が２０〜８０ｋｇ／ｍ３、好ましくは３５〜６０ｋｇ／ｍ３であり、厚みが１〜６ｍｍ程度のものが好適に用いられる。さらに、複数種類のクッション材が積層されていてもよく、求められる遮音性に応じて適宜選択すればよい。
【００３７】
例えば、上記合成樹脂不織布としては、材質は限定されないが、オレフィン系樹脂不織布、ポリエチレンテレフタレート系樹脂不織布、ポリエステル系樹脂不織布等を使用することができる。不織布の場合、不織布の剥離破壊強度を向上させるために、ロール融着加工を施す必要がある。
【００３８】
また、上記樹脂発泡体としては、材質は限定されないが、発泡合成樹脂製のものが好ましく、具体的には、ポリウレタン発泡体、ポリエチレン発泡体、ポリプロピレン発泡体、ポリスチレン発泡体、ポリ塩化ビニル発泡体、ポリメチルメタクリレート発泡体、ポリカーボネート発泡体、ポリフェニレンオキサイド発泡体、ポリスチレンとポリエチレンとの混合物の発泡体等が挙げられる。この樹脂発泡体は、使用される施工用接着剤との適合性を考慮して適宜選択すればよいが、破壊強度やクッション性、耐久性等を考慮するとポリウレタン発泡体やポリ塩化ビニル発泡体が好ましい。
【００３９】
なお、遮音床材１に防湿効果のある上記高比重樹脂遮音シート４を用いる場合や、基材３として木質基板を使用しない場合には、クッション層５が防湿性を有していなくてもよい。
（施工用接着剤）
上記遮音床材１を床下地に貼着するための施工用接着剤は、遮音床材１の各構成要素２〜５の層間剥離強度よりも弱く、かつクッション層５の破壊強度よりも弱い接着剥離強度を有する弾性接着剤である。この弾性接着剤は、例えば、硬化物がゴム状弾性を有する特殊シリコン樹脂や変性シリコン樹脂等を有する。また、この弾性接着剤が、ゴム弾性を有するとともに所望の接着強度を有するために、エポキシ樹脂、アクリル樹脂、ウレタン樹脂等を追加配合してもよい。弾性接着剤は、例えば、ウレタン系接着剤、エポキシ系接着剤等が配合されたシリコン系接着剤や、これらの変性物等を使用することができる。そして、この施工用接着剤が、一般的な接着剤のような高強度の接着剥離強度よりも弱い接着剥離強度となるように、無機フィラー等を充填して接着剥離強度を調整する。この施工用接着剤の主成分１００重量に対して、５０〜１０００重量％程度のフィラーを添加し、このフィラーの一部を中空の無機フィラーに置き換えてもよい。
【００４０】
遮音床材１は、その上に人が乗るので、連続的な荷重が長期にわたって作用し、この荷重が作用するたびに上記クッション層５は変形する。施工用接着剤にウレタン系接着剤やエポキシ系接着剤を用いると、硬く脆い性質の硬化物となるため、遮音床材１を長期に使用した場合、連続的にクッション層５が変形すると、施工用接着剤がこわれてしまう虞がある。本発明の遮音床材１は、可撓性を有し、かつクッション層５を備えているため、施工用接着剤は、フィラーを充填することにより、各構成要素２〜５の層間剥離強度よりも弱い接着剥離強度を有するように調整し、かつゴム弾性を有する弾性接着剤とする。
（除去方法）
次に、複数枚の遮音床材１のうち任意の遮音床材１を除去する方法について説明する。
【００４１】
上記遮音床材１を除去するために用いる床材除去具は、例えば、ガラスの施工や移動に用いるような吸盤を２つ有するものである。この床材除去具の吸盤を任意の遮音床材１の中央部に吸着させる。
【００４２】
そして、任意の遮音床材１の雌実７側を持ち上げるようにして隣り合う遮音床材１を押さえながら床材除去具を引っ張ることで、任意の遮音床材１を長手方向及び幅方向に撓ませつつ施工用接着剤を破壊させて床下地から剥ぎ取る。任意の遮音床材１の雌実７と隣り合う遮音床材１の雄実６との嵌合を外した後、任意の遮音床材１の雄実６と隣り合う遮音床材１の雌実７との嵌合が外れるように任意の遮音床材１を横にずらして除去する。
【００４３】
また、遮音床材１に本実加工が施されていない場合も同様に、任意の遮音床材１に床材除去具の吸盤を吸着させて引っ張り、任意の遮音床材１を撓ませつつ施工用接着剤を破壊させて床下地から剥ぎ取って除去する。
（更新方法）
次に、上記除去方法により任意の遮音床材１を除去した後、新たな更新用遮音床材１を床下地に貼着して更新する方法について説明する。
【００４４】
まず、任意の遮音床材１が除去された露出床下地から施工用接着剤をスクレパーなどを用いて除去し、露出床下地に新たな施工用接着剤を塗布する。施工用接着剤は、露出床下地全面に塗布してもよいし、長手方向又は幅方向に線状塗布してもよい。そして、更新用遮音床材１の幅方向及び長手方向両方の雌実７の下側部分を除去する。
【００４５】
次に、更新用遮音床材１の雄実６の角部を露出床下地に挿入し、露出床下地に隣り合う遮音床材１の雌実と嵌合させ、先に長手方向の雄実６を隣り合う遮音床材の長手方向の雌実７に嵌合させる。その後、更新用遮音床材１の幅方向の雄実６を隣り合う遮音床材の雌実７に嵌合させ、隣り合う遮音床材１の表面が互いに面一となるように、更新用遮音床材１を上から十分に押圧して床下地に貼着する。
【００４６】
また、遮音床材１に本実加工が施されていない場合は任意の遮音床材１を除去し、露出床下地に新たな施工用接着剤を塗布した後、新たな更新用遮音床材１を露出床下地に位置合わせして上から押圧して貼着する。
（実施形態の効果）
したがって、本実施形態の遮音床材の施工構造においては、施工用接着剤の接着剥離強度をクッション層５の破壊強度よりも弱くしているので、遮音床材１を更新するために除去する際、クッション層が破壊せずに、施工用接着剤が破壊するので容易に床下地から遮音床材１を除去することができる。
【００４７】
そして、この遮音床材１を除去した床下地に新たな更新用遮音床材１を直接貼着して更新するので、繰り返し更新しても容易に遮音床材１を除去することができる。
【００４８】
また、遮音床材１を樹脂化粧シート２、基材３、高比重樹脂遮音シート４及びクッション層５を順に積層して構成し、高比重樹脂遮音シート４により基材３の裏面から防湿性を担保することで、基材３として木質基材を使用した場合も、湿気の影響による遮音床材１の変形を抑えることができるとともに、高比重樹脂遮音シートで防湿性を担保することができるので、クッション層５の選択の幅を広げることができる。なお、基材３として木質基材を使用した場合でも、高比重樹脂遮音シート４を用いなくても、クッション層５が防湿性を有することでも湿気の影響による遮音床材１の変形を抑えることができる。
【００４９】
また、同じ厚みの基材３（木質繊維板）と高比重樹脂遮音シート４とを合わせたものの厚み方向に３等分した真ん中部分Ｌ２に本実加工を施しているので、遮音床材１を安定して生産することができる。
【００５０】
また、雄実６の上面６ａの俯角ｒ１を下面６ｂの仰角ｒ２よりも小さくして、雄実６における高比重樹脂遮音シート４の割合を基材３よりも多くしているので、施工時の嵌合のために必要な雄実６の強度と、遮音床材１除去時に雌実７を破壊せずに嵌合を外すことができる程度の雄実６の硬さとを確保することができる。
【００５１】
また、施工用接着剤を弾性接着剤としているので、接着剥離強度を弱くしても脆く硬い性質の硬化物とならず、連続的なクッション層の変形により壊れてしまわない。また、接着剥離強度が弱いので、遮音床材を除去する際に、遮音床材と床下地との間に衝撃力を加えなくても遮音床材を撓ませながら引っ張ることで施工用接着剤が破壊する。
【００５２】
また、遮音床材１の最上層に配置される樹脂化粧シート２が表面平滑であるため、床材除去具の吸盤をしっかりと遮音床材１の表面に吸着させることができ、容易に遮音床材１を除去することができる。
【００５３】
また、更新用遮音床材１の雌実７の下側部分を除去するので、遮音床材１を更新する際に、更新用遮音床材１の雄実６を隣り合う遮音床材１の雌実７に嵌合させつつ、更新用遮音床材１を上から押圧するだけで床下地に貼着することができ、遮音床材１の更新を容易に行うことができる。
【実施例】
【００５４】
次に、具体的に実施した実施例について説明する。
【００５５】
樹脂化粧シート２として厚さ０．１７ｍｍのオレフィン化粧シートを、基材３として比重０．７、厚さ２．７ｍｍの広葉樹木質繊維を使用し、結合材としてメラミン樹脂を使用した木質繊維板を用意した。また、高比重樹脂遮音シート４として比重１．６、厚さ２．７ｍｍであって、塩化ビニル４０重量に対し炭酸カルシウム６０重量を添加した樹脂シートを、クッション層５として厚さ３．５ｍｍ、見かけ比重が３５ｋｇ／ｍ３の発泡ポリウレタン成形体を用意した。これらを、樹脂化粧シート２、基材３、高比重樹脂遮音シート４及びクッション層５の順で積層した。
【産業上の利用可能性】
【００５６】
以上説明したように、本発明は、遮音床材の施工構造、遮音床材の除去方法及び更新方法について有用である。
【図面の簡単な説明】
【００５７】
【図１】本発明の実施形態に係る遮音床材の幅方向の断面図である。
【図２】遮音床材の長手方向の断面図である。
【符号の説明】
【００５８】
１ 遮音床材
２ 樹脂化粧シート
３ 基材
４ 高比重樹脂遮音シート（樹脂遮音シート）
５ クッション層
６ 雄実
６ａ 上面の傾斜面
６ｂ 下面の傾斜面
７ 雌実
８ 木質基材の下面
９ 樹脂遮音シートの上面
【図１】
0005357407.tif 000002
【図２】
0005357407.tif 000003